(57)【要約】【課題】本発明は、タイヤサイドウォールのエアロダイナミック（Ａｅｒｏ  ｄｙｎａｍｉｃ）性能を向上させつつ、タイヤの回転抵抗を下げ、燃費向上および、高速走行時のタイヤと路面の安定した接地を可能にすることで、走行安定性を向上させる曲線突出部が形成されるサイドウォールを備える車両用タイヤを提供する。【解決手段】このため、トレッドの端部につながるショルダーとホイールに装着されるビード部との間に配置される車両用タイヤのサイドウォールにおいて、前記サイドウォールの平面的基準面の上側に、浮き彫りになっている稜線状の突出曲線部がサイドウォールに沿って時計回りに形成されていることを特徴とする。【選択図】図１
2014184957.tif 000002
【特許請求の範囲】
【請求項１】
トレッドの端部につながるショルダーと、ホイールに装着されるビード部との間に配置されるタイヤサイドウォールにおいて、
前記サイドウォールの平面的基準面の上側には、浮き彫りになっている稜線状の突出曲線部が時計回りに形成され、該稜線状の突出曲線部の片側の始端部がビード部上層のリムフランジ部分から始まり、反対側の終端部がサイドウォール上端に位置するパーティング部の下端ラインまで連続的に延びており、このような稜線状の突出曲線部は、サイドウォールの基準面に同じ構造で等角度でタイヤの半径方向とは異なる方向に連続繰り返し形成されて成り、
前記稜線状の突出曲線部の上側面および下側面は、それぞれ稜線からサイドウォールの基準面まで緩やかな曲線になっており、当該曲線の傾斜は、それぞれ前記稜線から前記サイドウォールの基準面まで徐々になだらかになっていることを特徴とする、曲線突出部が形成されるサイドウォールを備える車両用タイヤ。
【請求項２】
前記稜線状の突出曲線部は、断面が左右対称である突出曲線状に形成されることを特徴とする、請求項１に記載の曲線突出部が形成されるサイドウォールを備える車両用タイヤ。
【請求項３】
トレッドの端部につながるショルダーと、ホイールに装着されるビード部との間に配置されるタイヤサイドウォールにおいて、
前記サイドウォールの平面的基準面の上側には、浮き彫りになっている稜線状の突出直線部が形成され、該稜線状の突出直線部の片側の始端部がビード部上層のリムフランジ部分から始まり、反対側の終端部がサイドウォール上端に位置するパーティング部の下端ラインまで連続的に延びており、このような稜線状の突出直線部は、サイドウォールの基準面に同じ構造で等角度でタイヤの半径方向とは異なる方向に連続繰り返し形成されて成り、
前記稜線状の突出直線部の始端部と終端部とが直線状に延びており、
前記稜線状の突出直線部の上側面および下側面は、それぞれ稜線からサイドウォールの基準面まで緩やかな曲線になっており、当該曲線の傾斜は、それぞれ前記稜線から前記サイドウォールの基準面まで徐々になだらかになっていることを特徴とする、直線突出部が形成されるサイドウォールを備える車両用タイヤ。
【請求項４】
トレッドの端部につながるショルダーと、ホイールに装着されるビード部との間に配置されるタイヤサイドウォールにおいて、
前記サイドウォールの平面的基準面の上側には、浮き彫りになっている稜線状の突出曲線部が形成され、該稜線状の突出曲線部の片側の始端部がビード部上層のリムフランジ部分から始まり、反対側の終端部がサイドウォール上端に位置するパーティング部の下端ラインまで連続的に延びており、このような稜線状の突出曲線部はサイドウォールの基準面に同じ構造で等角度でタイヤの半径方向とは異なる方向に連続繰り返し形成されて成り、
前記稜線状の突出曲線部が、反時計回りに曲線状に形成されて成り、
前記稜線状の突出曲線部の上側面および下側面は、それぞれ稜線からサイドウォールの基準面まで緩やかな曲線になっており、当該曲線の傾斜は、それぞれ前記稜線から前記サイドウォールの基準面まで徐々になだらかになっていることを特徴とする、曲線突出部が形成されるサイドウォールを備える車両用タイヤ。
【請求項５】
前記稜線状の突出曲線部の始端部と終端部とがジグザグに延びていることを特徴とする、請求項１に記載の曲線突出部が形成されるサイドウォールを備える車両用タイヤ。
【請求項６】
前記稜線状の突出曲線部が２つの曲線でつながることを特徴とする、請求項１に記載の曲線突出部が形成されるサイドウォールを備える車両用タイヤ。
【請求項７】
前記稜線状の突出曲線部の上側および下側に、多数のディンプルが形成されて配置されることを特徴とする、請求項１に記載の曲線突出部が形成されるサイドウォールを備える車両用タイヤ。
【請求項８】
請求項７に記載のディンプルを円形、三角形、四角形、多角形など様々な形態で形成することができながら、その大きさは同じ、または異なるように形成しえることを特徴とする、曲線突出部が形成されるサイドウォールを備える車両用タイヤ。
【請求項９】
前記稜線状の突出曲線部が１つの始端部から分岐して異なる終端部を有するように形成されることを特徴とする、請求項１に記載の曲線突出部が形成されるサイドウォールを備える車両用タイヤ。
【発明の詳細な説明】
【技術分野】
【０００１】
本発明は、曲線突出部が形成されるサイドウォールを備える車両用タイヤに関するものであり、より詳しくは、タイヤサイドウォールのエアロダイナミック（Ａｅｒｏ ｄｙｎａｍｉｃ）性能を向上させつつ、タイヤの回転抵抗を下げ、燃費向上および、高速走行時のタイヤと路面の安定した接地を可能にすることで、走行安定性を向上させる車両用タイヤに関する。
【背景技術】
【０００２】
車両用タイヤの外観は、図１２に示すように、路面と直接接するトレッド（１００、Ｔｒｅａｄ）と、 タイヤ両サイド部で、スムーズな屈伸運動が行われるサイドウォール（１０１、Ｓｉｄｅｗａｌｌ）、 トレッド（１００）の端部につながるサイドウォール（１０１）の上部であるショルダー（１０２、Ｓｈｏｕｌｄｅｒ）、および、ホイール（１０４、Ｗｈｅｅｌ）に装着されるビード（１０３、Ｂｅａｄ）部とからなる。
【０００３】
ここで、前記サイドウォール（１０１）は主にタイヤマーキング（Ｍａｒｋｉｎｇ）事項などを刻み込む部分で、商品名、ブランド名、荷重、空気圧情報、警告メッセージ、その他の認証マークなど様々な情報を示す文句が刻まれており、性能的なタイヤサイドウォール（１０１）は路面と接地するトレッド（１００）とホイール（１０４）との間で力を伝達し、屈伸運動により荷重を支えるスプリングとしての役目を持つ。
【０００４】
しかしながら、最近、車の環境性能が強調されており、燃費が重要なイシューとして台頭しつつあることにより、タイヤサイドウォールに関わっても性能向上と低燃費のための様々な試みが行われている。そのうち、日本国特開平８−３１８７１７号公報および日本国特開２００１-１９１７４５号公報には、タイヤサイドウォールの表面に生じる凹凸を目立たなくすることにより、タイヤの外観不良を抑制する多数の鋸歯状（Ｓｅｒｒａｔｉｏｎ Ｔｙｐｅ）のリッジを連続配列した構造が開示されている。
【０００５】
また、従来もタイヤサイドウォールにディンプル（Ｄｉｍｐｌｅ）状を刻み込むことにより走行中に乱流（Ｔｕｒｂｕｌｅｎｃｅ）を発生させ、空気抵抗を低減しようとする試みなどもあった。
【先行技術文献】
【特許文献】
【０００６】
【特許文献１】特開平８−３１８７１７号公報
【特許文献２】特開２００１-１９１７４５号公報
【発明の概要】
【発明が解決しようとする課題】
【０００７】
そこで本発明は、上記のような従来の構造とは異なる構造および目的を目指して発明されたものであり、サイドウォールの平面的基準面の上側に、浮き彫りになっている稜線状の突出曲線部を配置することにより、サイドウォールのエアロダイナミック性能を向上させつつ、走行安定性を向上させる曲線突出部が形成されるサイドウォールを備える車両用タイヤの提供を目的としている。
【課題を解決するための手段】
【０００８】
前記目的を達成するために、本発明は、トレッドの端部につながるショルダーとホイールに装着されるビード部との間にサイドウォール部が配置される車両用タイヤにおいて、前記サイドウォール部の平面的基準面の上側に、浮き彫りになっている稜線状の突出曲線部がサイドウォール部に沿って時計回りに形成され、該稜線状の突出曲線部の片側の始端部はビード部上層のリムフランジ（Ｒｉｍ  Ｆｌａｎｇｅ）部分から始まり、反対側の終端部はサイドウォール上端に位置するパーティング部の下端ラインまで連続的に延びており、このような稜線状の突出曲線部はサイドウォールの基準面に同じ構造で等角度で連続繰り返し形成されていることを特徴とする。
【図面の簡単な説明】
【０００９】
【図１】本発明の車両用タイヤの側面部分を示す図面である。
【図２】図１のＩ-Ｉ線の拡大断面図である。
【図３】本発明のタイヤサイドウォールにおいて、突出曲線による空気の流れを示す図面である。
【図４】本発明のタイヤサイドウォールにおいて、車のホイールハウス（Ｗｈｅｅｌ ｈｏｕｓｅ）下端でのダウンフォース（Ｄｏｗｎ Ｆｏｒｃｅ）効果を示す図面である。
【図５】本発明の他の実施例に係る車両用タイヤの側面部分を示す図面である。
【図６】本発明の他の実施例に係る車両用タイヤの側面部分を示す図面である。
【図７】本発明の他の実施例に係る車両用タイヤの側面部分を示す図面である。
【図８】本発明の他の実施例に係る車両用タイヤの側面部分を示す図面である。
【図９】本発明の他の実施例に係る車両用タイヤの側面部分を示す図面である。
【図１０】本発明の他の実施例に係る車両用タイヤの側面部分を示す図面である。
【図１１】本発明の他の実施例に係る車両用タイヤの側面部分を示す図面である。
【図１２】従来の一般的なホイールに装着される車両用タイヤを撮影した写真である。
【発明を実施するための形態】
【００１０】
以下、本発明を添付の図示例とともに詳しく説明する。
【００１１】
本発明は、図１の実施例に示すように、トレッド（１０）の端部につながるショルダー（１２）とホイールに装着されるビード部（１３）との間に配置される車両用タイヤのサイドウォールにおいて、前記サイドウォール（１１）の平面的基準面（１）（タイヤサイドウォールに文字を浮き彫りまたは沈み彫りで彫る際、浮き彫りおよび沈み彫りの基準（０）となる面で、突出形状を説明するために「基準面」という用語を用いる：ｓｉｄｅ  ｍｏｌｄ  ｂａｓｅ）の上側に、浮き彫りになっている稜線状の突出曲線部（２）がサイドウォールに沿って時計回りに対角線方向に伸びて形成されている。該稜線状の突出曲線部（２）の片側の始端部（３）はビード部（１３）上層のリムフランジ部分から始まり、反対側の終端部（４）がサイドウォール（１１）上端に位置するパーティング部の下端ライン（５）まで連続的に延びており、このような稜線状の突出曲線部（２）はサイドウォールの基準面に沿って同じ構造で等角度で連続繰り返し形成されている。
【００１２】
なお、図２に示すように、サイドウォール（１１）の稜線状の突出曲線部（２）の上側面（６）および下側面（７）は、それぞれ稜線でサイドウォールの基準面（１）まで緩やかな曲線になっており、断面が左右対称である突出曲線状に形成されている。
【００１３】
このような稜線状の突出曲線部（２）は、サイドウォール（１１）に沿って流れる空気の流れを変えるようになり、即ち、図３に示すように、サイドウォール（１１）に入る空気（Ａ）を稜線状の突出曲線部（２）がこの空気（Ａ）の流れと異なる方向の流れ（Ｂ）に変えて出し、この 稜線状の突出曲線部（２）の下端部には低い空気の流れ（Ｃ）で少量の空気のみが流れるようになり、サイドウォール（１１）全体に作用する空気圧が低くなり、前記稜線状の突出曲線部（２）の下端部が低い空気の流れにより圧力が上昇して横方向に押す力が発生し、これはタイヤの回転に有利に作用して燃費向上の効果をもたらす。
【００１４】
また、図４に示すように、サイドウォール（１１）に入る空気（Ａ）の流れは、このサイドウォール（１１）を自然に通らず、車のホイールハウス（１５）の内側に移動し、タイヤのトレッド（１０）上端を押し下げるダウンフォース（Ｄ、Ｄｏｗｎ Ｆｏｒｃｅ）を発生させる。このダウンフォース（Ｄ）は、高速走行時のタイヤと路面の安定した接地を可能にすることで、走行安定性を向上させ、これは車のリアスポイラー（Ｒｅａｒ Ｓｐｏｉｌｅｒ）が乱流を発生させて車の後端を押し下げる効果と同じ原理である。その一方で、図５〜１１は本発明の他の実施例を示すタイヤサイドウォールの図面であり、図５の実施例は稜線状の突出曲線部（２）の始端部（３）と終端部（４）とが直線状に延びていることを示しており、図６の実施例は該突出曲線部（２）の始端部（３）と終端部（４）とが図１の実施例よりも半径が小さな曲線状に延びていることを示しており、図７の実施例は稜線状の突出曲線部（２）が図１の実施例の逆の反時計回りに曲線状に形成されていることを示している。
【００１５】
また、図８は本発明の他の実施例であり、前記稜線状の突出曲線部（２）の始端部（３）と終端部（４）とがジグザグに延びていることを示しており、図９は稜線状の突出曲線部（２）が２つの曲線でつながることを示しており、図１０は前記稜線状の突出曲線部（２）の上側および下側に、多数のディンプル（９）が形成されて配置されており、該ディンプル（９）を円形、三角形、四角形、多角形など様々な形態で形成することができながら、その大きさは同じ、または異なるように形成しえる。
【００１６】
最後に、図１１は本発明の他の実施例であり、前記稜線状の突出曲線部（２）が１つの始端部（３）から分岐して異なる終端部（４）を有するように形成されている。
【００１７】
このような発明に係る車両用タイヤサイドウォールは、稜線状の突出曲線部により走行時にタイヤのエアロダイナミック性能を向上させつつ、高速走行時のタイヤと路面の安定した接地を可能にすることで、走行安定性を向上させる機能を持つ。
【図１】
2014184957.tif 000003
【図２】
2014184957.tif 000004
【図３】
2014184957.tif 000005
【図４】
2014184957.tif 000006
【図５】
2014184957.tif 000007
【図６】
2014184957.tif 000008
【図７】
2014184957.tif 000009
【図８】
2014184957.tif 000010
【図９】
2014184957.tif 000011
【図１０】
2014184957.tif 000012
【図１１】
2014184957.tif 000013
【図１２】
2014184957.tif 000014
【手続補正書】
【提出日】平成26年6月5日(2014.6.5)
【手続補正１】
【補正対象書類名】明細書
【補正対象項目名】００１２
【補正方法】変更
【補正の内容】
【００１２】
なお、図２に示すように、サイドウォール（１１）の稜線状の突出曲線部（２）の上側面（６）および下側面（７）は、それぞれ稜線でサイドウォールの基準面（１）まで凹状の曲線になっており、断面が左右対称である突出曲線状に形成されている。
【手続補正２】
【補正対象書類名】特許請求の範囲
【補正対象項目名】全文
【補正方法】変更
【補正の内容】
【特許請求の範囲】
【請求項１】
トレッドの端部につながるショルダーと、ホイールに装着されるビード部との間に配置されるタイヤサイドウォールにおいて、
前記サイドウォールの平面的基準面の上側には、浮き彫りになっている稜線状の突出曲線部が時計回りに形成され、該稜線状の突出曲線部の片側の始端部がビード部上層のリムフランジ部分から始まり、反対側の終端部がサイドウォール上端に位置するパーティング部の下端ラインまで連続的に延びており、このような稜線状の突出曲線部は、サイドウォールの基準面に同じ構造で等角度で連続繰り返し形成されて成り、
前記稜線状の突出曲線部の上側面および下側面は、それぞれ稜線からサイドウォールの基準面まで凹状の曲線になっており、
前記稜線状の突出曲線部は、前記稜線に対して対称な断面形状を有することを特徴とする、曲線突出部が形成されるサイドウォールを備える車両用タイヤ。
【請求項２】
前記稜線状の突出曲線部の上側および下側に、多数のディンプルが形成されて配置されることを特徴とする、請求項１に記載の曲線突出部が形成されるサイドウォールを備える車両用タイヤ。
【請求項３】
請求項２に記載のディンプルを円形、三角形、四角形、多角形など様々な形態で形成することができながら、その大きさは同じ、または異なるように形成しえることを特徴とする、曲線突出部が形成されるサイドウォールを備える車両用タイヤ。
【請求項４】
前記稜線状の突出曲線部が１つの始端部から分岐して異なる終端部を有するように形成されることを特徴とする、請求項１に記載の曲線突出部が形成されるサイドウォールを備える車両用タイヤ。